(57)【要約】  【目的】話速変換処理後の音声信号の時間遅れ状況等を利用者がリアルタイムで視覚的に認識できるようにした話速変換処理装置を提供する。  【構成】話速変換処理装置１０は、音声信号源１からの入力音声信号Ｓの話速を遅らせて出力する話速変換処理手段２を備える話速変換処理装置１０において、前記話速変換処理手段２に入力される音声信号源１からの入力音声信号Ｓに対する話速変換処理後の話速変換後音声信号Ｓ′の音声信号位置の遅延量δを順次検出してバー表示の表示器５に順次表示する遅延量表示手段、又は前記入力音声信号Ｓと前記話速変換後音声信号Ｓ′との各音声ピッチを抽出して得られる音声信号Ｓ、Ｓ′の会話のテンポＶ、Ｖ′を２つの表示器５ａ、５ｂに並列して順次表示する話速比較表示手段、を備える構成。【選択図】  図１
2005099511.tif 000002
【特許請求の範囲】
【請求項１】
入力音声信号の話速を遅らせて出力する話速変換処理手段を備える話速変換処理装置において、
前記話速変換処理手段に供給される前記入力音声信号に対する話速変換処理後の話速変換後音声信号の遅延量を順次検出してその遅延量を順次表示する遅延量表示手段、又は前記入力音声信号と前記話速変換後音声信号との各音声ピッチを順次抽出して得られる前記２つの音声信号による会話のテンポを並列して順次表示する話速比較表示手段、を備えることを特徴とする話速変換処理装置。
【発明の詳細な説明】
【技術分野】
【０００１】
本発明は、音声信号源からの実速度の入力音声信号の話速を遅らせて出力する話速変換処理装置に関する。
【背景技術】
【０００２】
音声信号、特に会話等の音声信号の話速を間合い等の状況に応じて適度に遅らせて出力する話速変換処理技術が公知技術として下記［特許文献１］〜［特許文献５］の他、多数の刊行物で頒布公開されている。
【０００３】
会話における相手方の話速を話速変換処理装置によって会話を妨げないように適度に遅らせることは、難聴の人やお年寄りの補聴器の使用時に有益であり、相手方の言葉を明確に聴き取ることができるようになる。
【０００４】
また、話速変換処理装置を備えたラジオ受信機においても、ラジオ放送のアナウンスをゆっくりと聴き取ることができるので、お年寄りには非常に便利な機能と言える。
【０００５】
さらに、録音再生装置を用いた外国語学習においても、話速変換処理手段を備えた録音再生装置によってネイティブスピーカーの早口の会話を適度に遅らせて聴き取ることができるので学習能率が飛躍的に向上するという効果が得られる。
【０００６】
このように話速変換処理装置は、これを備えた補聴器、ラジオ受信機、録音再生装置等で聴き取り易くなる効果を有しており、非常に有益な装置であることが判る。
【０００７】
【特許文献１】特開平７−２８１６９０号公報。
【０００８】
【特許文献２】特開平７−２８１６９１号公報。
【０００９】
【特許文献３】特開平１０−２５７５９６号公報。
【００１０】
【特許文献４】特開平１０−３０１５９８号公報。
【００１１】
【特許文献５】特開平１１−８６４４８号公報。
【発明の開示】
【発明が解決しようとする課題】
【００１２】
しかしながら、前記補聴器、ラジオ受信機、録音再生装置等に備えられる話速変換処理装置においては、話速変換の処理内容が使用者にリアルタイムに判る手段を備えておらず、現に話速変換でどの程度遅延させて聴いているのか、或いはどの程度の話速で聴いているのかが認識できない状況にあった。特に、話速変換処理による音声信号位置の差分（遅延量）が一定ではなく、実音声の内容によって適応的に遅延量を制御し、実音声に文末では追いつくように処理する話速変換処理装置の場合はその感が強い。
【００１３】
本発明は上記事情に鑑みてなされたものであり、話速変換処理後の音声信号の時間遅れ状況等を使用者がリアルタイムで視覚的に認識できるようにした話速変換処理装置を提供することを目的とする。
【課題を解決するための手段】
【００１４】
本発明は、入力音声信号Ｓの話速を遅らせて出力する話速変換処理手段２を備える話速変換処理装置１０において、前記話速変換処理手段２に供給される前記入力音声信号Ｓに対する話速変換処理後の話速変換後音声信号Ｓ′の遅延量δを順次検出してその遅延量δを順次表示する遅延量表示手段、又は前記入力音声信号Ｓと前記話速変換後音声信号Ｓ′との各音声ピッチを順次抽出して得られる前記２つの音声信号Ｓ、Ｓ′による会話のテンポＶ、Ｖ′を並列して順次表示する話速比較表示手段、を備えることを特徴とする話速変換処理装置１０を提供することにより、上記課題を達成する。
【発明の効果】
【００１５】
本発明に係る話速変換処理装置は上記のように構成されているため、
（１）話速変換処理において、実音声の入力音声信号に対する話速変換処理後の話速変換後音声信号の遅延量がリアルタイムに視覚的に認識することができ、話速も直感的に把握できる。
（２）話速変換処理において、入力音声信号と話速変換後音声信号の音声ピッチを抽出して得られる会話のテンポがバー表示の２つの表示器に並列してリアルタイムに表示されるので、話速の変化が対比して認識できる。
【発明を実施するための最良の形態】
【００１６】
本発明に係る話速変換処理装置の実施の形態について図面に基づき説明する。
【００１７】
図１は本発明に係る話速変換処理装置の話速変換処理手段の構成図であり、図２は本発明に係る第１の話速変換処理装置の処理内容を説明するための図であり、図３は本発明の第１の話速変換処理装置の表示形態を示す図である。図４は本発明の第２の話速変換処理装置の処理内容を説明するための図であり、図５は本発明の第２の話速変換処理装置の表示形態を示す図である。
【００１８】
先ず、図１の構成図において、本発明に係る話速変換処理装置１０は、話速変換処理手段２であるＤＳＰ（Digital Signal Proccessing）或いは話速変換専用ＩＣとメモリー３と制御用マイクロコンピュータ４とバー表示の表示器５とを主要素として構成されており、前記制御用マイクロコンピュータ４は、前記ＤＳＰ或いは前記話速変換専用ＩＣの話速変換処理を制御するとともにラジオ受信機等の音声信号源１からの受信情報を受けてラジオ受信機等の制御を行い且つ表示器５の制御をソフトウェアで行う。
【００１９】
入力された前記音声信号源１からの実速度の入力音声信号Ｓはメモリー３に一旦記録しつつ図２に示されるように、話速変換処理手段２によって、先ず、音声信号位置情報の検出、次に話速変換処理して話速を遅らせ、次に出力再生位置情報の検出を行って話速変換後音声信号Ｓ′を出力する。且つ、前記話速変換処理手段２に供給される音声信号源１からの前記入力音声信号Ｓに対する話速変換処理後の話速変換後音声信号Ｓ′の音声信号位置の差分である遅延量δを両信号Ｓ、Ｓ′を比較することにより順次検出してその遅延量δを図３に示されるようなバー表示の表示器５にリアルタイムに順次表示する（図３では、現在の遅延量が２秒であることが表示されている。）遅延量表示手段、又は図４に示されるように、前記入力音声信号Ｓの音声ピッチを抽出して得られる入力音声信号Ｓの会話のテンポＶと、話速変換処理した話速変換後音声信号Ｓ′の音声ピッチを抽出して得られる話速変換後音声信号Ｓ′の会話のテンポＶ′とを図５に示されるようなバー表示の２つの表示器５ａ、５ｂに並列してリアルタイムに表示する話速比較表示手段を備えることを特徴とする。
【００２０】
上記のように入力音声信号Ｓに対する話速変換後音声信号Ｓ′の遅延量δ或いは両信号の会話のテンポＶ、Ｖ′を同時に比較できるようにバー表示により表すことで、利用者は話速変換処理の状態をリアルタイムに視覚的に認識することができる。
【００２１】
前者の表示例（図３参照）では、話速変換処理を実行した場合としない場合の再生位置を比較してその差分（遅延量δ）を多素子のバー表示ｌ系列の表示器５（液晶或いはＬＥＤ等）を用い表示している。この遅延量δが大きい場合は再生速度がおそい傾向にある。この遅延量δを表示することで話速変換速度を直感的に認識することができるのである。
【００２２】
次に、後者の表示例（図５参照）では、話速の処理前後速度を比較し表示する方式であり、多素子のバー表示２系列の表示器５ａ、５ｂを用い、入力音声信号ＳのテンポＶと話速変換後音声信号Ｓ′のテンポＶ′を並べて表示している。なお、入力音声信号ＳのテンポＶは、音声のピッチ抽出により検出された速度で表示が変わっていく。話速変換後音声信号Ｓ′のテンポＶ′は、話速変換処理を実行された後の速度で表示が変わる。
【００２３】
以上のように、従来の話速変換処理装置は話速変換の状態をリアルタイムで表示する機能が無かったため、話速変換後音声Ｓ′の遅れがどの程度なのかが利用者に認識できなかった。バー表示により視覚的に入力音声信号Ｓと話速変換後音声Ｓ′の遅れを示す話速変換処理において、遅延量δが一定ではなく、実音声の内容によって適応的に遅延量を制御し、実際のラジオ放送に文末では追いつくような処理の場合に本表示機能が非常に有用となる。即ち、実際のラジオ放送との遅延量δがリアルタイムに視覚的に判ることで、話速スピードも直感的に把握でき、話速変換の機能の便利さが実感できるのである。
【図面の簡単な説明】
【００２４】
【図１】本発明に係る話速変換処理装置の話速変換処理手段の構成図である。
【図２】本発明に係る第１の話速変換処理装置の処理内容を説明するための図である。
【図３】本発明の第１の話速変換処理装置の表示形態を示す図である。
【図４】本発明の第２の話速変換処理装置の処理内容を説明するための図である。
【図５】本発明の第２の話速変換処理装置の表示形態を示す図である。
【符号の説明】
【００２５】
１    音声信号源
２    話速変換処理手段（ＤＳＰ或いは話速変換専用ＩＣ）
３    メモリー
４    制御用マイクロコンピュータ
５、５ａ、５ｂ    表示器
１０    話速変換処理装置
Ｓ′  話速変換後音声信号
Ｓ    入力音声信号
δ    遅延量（音声信号位置の差分）
Ｖ    入力音声信号の会話のテンポ
Ｖ′  話速変換後音声信号のテンポ
【図１】
2005099511.tif 000003
【図２】
2005099511.tif 000004
【図３】
2005099511.tif 000005
【図４】
2005099511.tif 000006
【図５】
2005099511.tif 000007